(57)【特許請求の範囲】
【請求項１】
メダル投入口から投入されたメダルがメダル通路の上流から下流へ向かって流通したことを検出するために、複数のメダルセンサがメダルの流通方向に沿って配列されているメダル遊技機であって、
前記メダル通路を通過させる方向及び前記メダル通路から脱落させる方向の一方から他方へ、適正なメダルの進路を切り換えるためのものであって、前記メダルセンサよりも上流側に設けられている進路切換装置と、
前記メダル通路内の異常を検出するためのものであって、異常を検出すると異常警報信号を出力する移行時異常検出手段と、
前記メダル通路の内部を通る物体に押されると移動するように設けられるとともに、前記メダル投入口と前記メダルセンサとの間に配置されている通過物検知体と、
前記通過物検知体の移動を検出するとともに、前記通過物検知体の移動を検出すると移動信号を出力する移動検出センサとを備え、
前記進路切換装置は、メダルを通過させる位置及びメダルを脱落させる位置の二位置間を揺動可能に設けられている揺動アームと、メダルを脱落させる位置へ向けて前記揺動アームを付勢する付勢手段と、駆動指令信号がＯＮになると前記付勢手段の付勢力に抗してメダルを通過させる位置へ前記揺動アームを移動させるキャンセルコイルとを備え、
前記移行時異常検出手段は、前記キャンセルコイルの駆動指令信号がＯＮになると、微小時間τの長さを有するパルスを生成し、前記キャンセルコイルの駆動指令信号がＯＮになってから微小時間τが経過するまでの間、当該移行時異常検出手段の出力端子を、前記移動検出センサの出力端子と導通状態とし、前記移動検出センサの出力信号である移動信号を、当該移行時異常検出手段の出力信号である異常警報信号として出力するように形成されていることを特徴とするメダル遊技機。
【発明の詳細な説明】
【技術分野】
【０００１】
本発明は、メダル投入口から投入されたメダルがメダル通路の上流から下流へ向かって流通したことを検出するために、複数のメダルセンサがメダルの流通方向に沿って配列されているメダル遊技機に関する。
【背景技術】
【０００２】
従来から、遊技を楽しむために、遊技用のメダルをメダル投入口に投入する必要があるスロットマシン等のメダル遊技機が利用されている。
例えば、スロットマシンは、スタートレバーの操作により、複数の回転リールを一斉に回転駆動させた後、リール窓の内部に現れる回転リールの図柄が特定の組合せとなるように、ストップボタンの操作を行う遊技機である。
ここで、スロットマシンは、メダルをメダル投入口に投入しなければ、スタートレバーの操作が行えないようになっている。
そして、ストップボタンを操作した結果、リール窓の内部に現れた図柄が特定の組合せとなれば、入賞が成立する。入賞が成立すると、スロットマシンは、入賞した役に応じた数のメダルを払い出し、これにより、遊技者を楽しませるようになっている。
【０００３】
このようなスロットマシンには、メダル投入口に投入されたメダルが適正なものであるか否かを選別し、不適正なメダルを排出し、適正なメダルのみを受け入れるメダルセレクタと、メダルセレクタの下流側に配置され、メダルセレクタによって適正なものとされたメダルの枚数を計数する光電式のメダル通過センサとが設けられている。
ここで、遊技者は、遊技を開始するのに先立ち、ある程度まとまった枚数のメダルをメダル投入口に投入しておけば、メダル通過センサが投入されたメダルの枚数を計数し、その計数結果である数値が、これからメダルの代わりに遊技に使用できるクレジット数として認識される。これにより、遊技者は、メダルをメダル投入口に投入しなくとも、クレジット数が尽きるまで、遊技を行うことができ、遊技の開始毎に、メダルをメダル投入口に投入する煩わしさから開放されるようになっている。
【０００４】
また、クレジット数が尽きる前等、遊技を途中で終了したいときには、精算ボタン等の操作により、クレジット数に応じた枚数のメダルを返却させることができる。
以上のようなメダル遊技機では、糸の先端にメダルを結びつけた、いわゆる糸吊りメダルをメダル投入口の内部に投入し、メダル投入口から外部に出ている糸吊りメダルの糸を操作すれば、メダル通過センサの前後を往復するように糸吊りメダルを動かすことができ、これにより、クレジット数を不正に得ることができる。
このような糸吊りメダルによる不正行為を防ぐために、メダルセレクタの下流側に二つの光電式メダル通過センサを設けるとともに、これらのメダル通過センサをメダルの流通方向に沿って配列し、メダル投入口に投入されたメダルが下流から上流へ向かって逆方向に移動したことを検出できるようにしたメダル遊技機が知られている（例えば、特許文献１参照。）。
【０００５】
このような、メダル遊技機によれば、糸吊りメダルでクレジット数を得るために、メダル通過センサの前後を糸吊りメダルが往復動すると、二つのメダル通過センサにより糸吊りメダルの逆方向移動が検出され、これにより、不正行為を検出することができ、必要に応じて警報音を発する等により、不正行為の防止を図ることもできる。
このような二つのメダル通過センサを備えたメダル遊技機に対して、メダルの直径に応じて設定されたメダル通路の幅寸法よりも小さい幅を有する細長い板状器具をメダル投入口の内部に挿入し、板状器具の先端部分を往復動させる際に、行きは、板状器具の先端部
分で二つのメダル通過センサの光路を上流側から順次遮断し、帰りは、板状器具を巧みに操作して、二つのメダル通過センサの光路を遮断しないように、板状器具の先端部分をメダル通過センサよりも上流側に戻し、このような往復動により、メダル遊技機に不正行為を検知されることなく、クレジット数を不正に得ることができる。
【０００６】
このような不正行為に対抗するために、メダル通路の幅方向の全域について光又は磁気で物の接近を検出するセンサを二つ備えるとともに、これらのセンサをメダルの流通方向に沿って配列し、これらのセンサでメダル通路の幅寸法の全域にわたって前述の板状器具の動きを検出できるようにしたメダル遊技機が知られている（例えば、特許文献２参照。）。
このような、メダル遊技機によれば、板状器具を巧みに操作しても、センサの検出領域から板状器具を逸脱させることができないので、二つのセンサにより板状器具の逆方向移動が検出され、これにより、不正行為を検出することができる。
【特許文献１】特開平７−１０８０８１号公報（図３）
【特許文献２】特開２００２−３４２８１４号公報（図１）
【発明の開示】
【発明が解決しようとする課題】
【０００７】
このようなメダル遊技機では、センサに対応した物理量を能動的に変化させうる物理量発生デバイスが複数設けられた欺瞞器具を利用した不正行為の検出ができない、という問題がある。
すなわち、メダル遊技機に、発光ダイオードが発生する光をＣＣＤラインセンサで受けるセンサが採用されている場合、欺瞞器具としては、細長い板状部材の先端に、センサに対応した物理量である光を発する発光ダイオード等の発光デバイスが複数設けられたものが採用され、発光デバイスを発光させた状態で欺瞞器具の先端部を、メダル投入口の内部に挿入し、二つのセンサの近傍に、欺瞞器具の発光デバイスをそれぞれ配置し、二つのセンサの近傍に配置した複数の発光デバイスを、あたかもメダルが通過したかの如く、上流側のものから順に、点灯状態から一時的に消灯状態にすれば、メダル遊技機に不正行為を検知されずに、クレジット数を不正に得ることができる。
【０００８】
なお、センサとして磁気センサが採用されている場合には、物理量発生デバイスとして磁気コイル装置等の磁気発生デバイスを欺瞞器具に設ければ、メダル遊技機に不正行為を検知されることなく、クレジット数を不正に得ることができる。
そこで、各請求項にそれぞれ記載された各発明は、上記した従来の技術の有する問題点に鑑みてなされたものであり、その目的とするところは、メダルの通過検出を行うセンサに対応した物理量を能動的に変化させる欺瞞器具による不正行為を検出できるメダル遊技機を提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、メダル投入口（11）から投入されたメダルがメダル通路（21）の上流から下流へ向かって流通したことを検出するために、複数のメダルセンサ（23,24）がメダルの流通方向に沿って配列されているメダル遊技機（１）であって、前記メダル通路（21）を通過させる方向及び前記メダル通路（21）から脱落させる方向の一方から他方へ、適正なメダルの進路を切り換えるためのものであって、前記メダルセンサ（23,24）よりも上流側に設けられている進路切換装置（25）と、前記メダル通路（21）内の異常を検出するためのものであって、異常を検出すると異常警報信号を出力する移行時異常検出手段（32）と、前記メダル通路（21）の内部を通る物体に押されると移動するように設けられるとともに、前記メダル投入口（11）と前記メダルセンサ（23,24）との間に配置されている通過物検知体（41）と、前記通過物検知体（41）の移動を検出するとともに、前記通過物検知体（41）の移動を検出すると移動信号を出力する移動検出センサ（42）とを備え、前記進路切換装置（25）は、メダルを通過させる位置及びメダルを脱落させる位置の二位置間を揺動可能に設けられている揺動アーム（26）と、メダルを脱落させる位置へ向けて前記揺動アーム（26）を付勢する付勢手段（25A）と、駆動指令信号がＯＮになると前記付勢手段（25A）の付勢力に抗してメダルを通過させる位置へ前記揺動アーム（26）を移動させるキャンセルコイル（25B）とを備え、前記移行時異常検出手段（32）は、前記キャンセルコイル（25B）の駆動指令信号がＯＮになると、微小時間τの長さを有するパルスを生成し、前記キャンセルコイル（25B）の駆動指令信号がＯＮになってから微小時間τが経過するまでの間、当該移行時異常検出手段（32）の出力端子を、前記移動検出センサ（42）の出力端子と導通状態とし、前記移動検出センサ（42）の出力信号である移動信号を、当該移行時異常検出手段（32）の出力信号である異常警報信号として出力するように形成されていることを特徴とする。
【００１０】
また、前記メダル通路(21)を横断する基本位置(γ)を起点として、流通するメダルの厚さ方向に沿って移動するように前記通過物検知体(41)を設け、この通過物検知体(41)は、前述の基本位置(γ)に向かって付勢する付勢手段(43)と係合し、且つ、メダルが当該通過物検知体(41)に到達すると、前記付勢手段(43)の付勢力ではメダルの重量に抗しきれず、前記基本位置(γ)から移動してメダルの通過を許容するようにすることができる。
また、スタートレバーの操作からその遊技が終了するまでの期間を、メダルの投入ができないメダル投入不可能期間として設定し、一回の遊技が終了してから次回の遊技でスタートレバーが操作されるまでの期間を、メダルの投入が可能となったメダル投入可能期間として設定し、且つ、前記移動検出センサ(42)から出力される前記移動信号に基づいて、前記メダル通路(21)内に異常があるか否かを判定するとともに、異常があると判定すると異常警報信号を出力するようにすることができる。
【００１１】
また、前記メダル投入可能期間において、前記移動検出センサ(42)から移動信号が所定時間(υ)以上継続して出力されると、異常報知信号を出力する投入可能時異常検知手段(31)を設けることができる。
また、前記メダル投入不可能期間から前記メダル投入可能期間に移行した時点から所定の微小時間(τ)が経過するまでに、前記移動検出センサ(42)から移動信号が出力されていると、異常報知信号を出力する移行時異常検知手段(32)を設けることができる。
【発明の効果】
【００１２】
（請求項１の効果）
以上のように構成されている本発明は、以下に記載されるような効果を奏する。
すなわち、請求項１記載の発明によれば、メダルの通過検出を行うセンサに対応した物理量を能動的に変化させる欺瞞器具がメダル投入口に挿入されると、欺瞞器具の先端部分は、センサに到達する前に通過物検知体に機械的に接触する。この状態から欺瞞器具の先端部分を更に奥へ入れようとすると、通過物検知体が押し退けられて移動し、通過物検知
体の移動が移動検出センサによって検出されるので、移動検出センサから出力される移動信号を監視すれば、欺瞞器具による不正行為が検出できるようになる。
【００１３】
また、メダルの厚さ方向に沿ってメダル通路を横断する基本位置を起点として、通過物検知体が移動するように設けると、厚さ寸法を如何に小さくしても、メダル通路に挿通された欺瞞器具は、通過物検知体を押し退けないと、センサに到達することができないので、移動検出センサにより、欺瞞器具による不正行為が必ず検出できるようになる。
なお、以上において、メダル通路を完全に閉鎖可能な断面寸法を備えた通過物検知体を採用し、メダル通路を完全に閉鎖する完全閉鎖位置を起点として通過物検知体が移動するように、当該通過物検知体を設ければ、針金のように細長い欺瞞器具であっても、移動検出センサにより、欺瞞器具による不正行為が必ず検出できるようになる。
【００１４】
また、移動検出センサから出力される移動信号に基づいて、メダル通路内に異常があるか否かを判定すると、当該メダル遊技機に設けられている遊技制御装置でも異常の判定が行える。また、予め異常警報信号を出力すべき様々な条件を設定しておけば、欺瞞器具の挿通により、メダル通路内に異常が発生すると、確実に異常検出がなされて異常警報信号が出力されるようになり、欺瞞器具による不正行為が確実に外部に報知されるようになる。
また、メダルの流通によって移動検出センサから出力される移動信号は、連続信号とはならず、断続的な信号となるので、メダル投入可能期間において移動検出センサから移動信号が所定時間υ以上継続して出力されると異常報知信号を出力する投入可能時異常検知手段を設けると、メダルの投入が行われるメダル投入可能期間において、メダルがいくら投入されても、投入可能時異常検知手段が異常報知信号を出力することはない。
【００１５】
一方、欺瞞器具の先端部分がセンサに到達するほど、メダル投入口の奥にまで挿入されると、移動検出センサから出力される移動信号は、所定時間以上継続する連続信号となる。従って、欺瞞器具で不正行為を行えば、投入可能時異常検知手段により当該不正行為が検知され、不正行為の発生を確実に外部に報知できるようになる。
また、メダル投入不可能期間は、検出機能を休止している期間となり、欺瞞器具を挿通してもセンサは何ら反応しないので、欺瞞器具による不正行為を行おうとする者は、メダル投入不可能期間中に欺瞞器具の挿通を図ろうとする。
これに対し、メダル投入不可能期間からメダル投入可能期間に移行した時点から所定の微小時間τが経過するまでに移動検出センサから移動信号が出力されていると異常報知信号を出力する移行時異常検知手段を設けると、メダル投入不可能期間からメダル投入可能期間に移行した変わり目に、移動検出センサから移動信号が出力されていると、速やかに、移行時異常検知手段が異常報知信号を出力するので、不正行為の発生を迅速に外部に報知できるようになる。
【発明を実施するための最良の形態】
【００１６】
以下に、本発明を実施するための最良の形態である一実施形態について、図面に基づいて説明する。
図１ないし図８は、本実施形態を示すものである。図１は、本実施形態に係るメダル遊技機であるスロットマシンを示す正面図、図２は、本実施形態に係るメダルセレクタを示す背面図、図３は、本実施形態に係るメダルセレクタを示す側面図、図４は、本実施形態に係るメダルセレクタの異なる状態を示す側面図、図５は、本実施形態の要部を示す拡大平面図、図６は、本実施形態の要部を示す拡大断面図、図７は、本実施形態の要部とセンサ及び移動検出センサとの接続関係を示すブロック図、図８は、本実施形態に係る投入可能時異常検知手段及び移行時異常検知手段を示す回路図である。
【００１７】
（スロットマシン１の概略構成）
本第１実施形態に係る遊技機であるスロットマシン１は、図１に示すように、長方形の正面形状を有する六面体の箱として形成された筐体２を備えている。この筐体２は、回動可能に設けられた前扉2Aで、前面の開口を開閉するようにしたものである。
筐体２の内部には、それぞれの周面に様々な図柄が描かれるとともに横方向に並べられた３個の回転リール3Aを備えたリールユニット３等の遊技用装置が設けられている。そして、前扉2Aのほぼ中央部には、回転リール3Aの図柄を筐体２の外部に露出させる図柄表示窓2Bが設けられている。
【００１８】
図柄表示窓2Bは、３個すべての回転リール3Aの回転が停止した際に、縦横３個ずつ配列された計９個の図柄が表示できるように形成されている。
具体的には、左側の回転リール3Aの回転が停止すると、図柄表示窓2Bの左側部分の上段、中段及び下段にそれぞれ１個ずつ、合計３個の図柄が表示されるようになっている。中央及び右側の回転リール3Aについても同様に、上段、中段及び下段にそれぞれ１個ずつ、合計３個の図柄が表示されるようになっている。これにより、３個すべての回転リール3Aの回転が停止すると、図柄表示窓2Bには、縦横各３個の計９個からなる図柄が表示可能となっている。
【００１９】
この際、図柄表示窓2Bに表示された縦横各３個の計９個からなる図柄の配列パターンが、いわゆる「出目」である。スロットマシン１は、遊技において、遊技者が所定の図柄の組合せからなる出目を成立させると、入賞役が成立したと認定し、当該入賞役に応じた枚数のメダルを遊技者に払い出すようになっている。
また、図柄表示窓2Bの下方、換言すると、スロットマシン１の上下方向における中央部分には、遊技者が遊技を行うために必要な操作用装置が集中配置されている操作部10が備えられている。具体的に説明すると、操作部10には、メダルが投入されるメダル投入口11、貯留メダルを１枚ずつ投入するためのベットスイッチ12、貯留メダルを３枚ずつ投入するためのマックスベットスイッチ13、回転リール3Aの回転を開始させるためのスタートレバー14、及び、回転リール3Aの回転を停止させるためのストップスイッチ15等が設けられている。
【００２０】
また、前扉2Aの上部には、遊技者が入賞した際に演出のために点滅動作がなされる演出用ランプ16が設けられている。そして、前扉2Aの下部には、入賞時に払い出されるメダルが排出される払出口17が設けられている。この払出口17の下方には、払出口17から排出されたメダルを受ける受け皿18が設けられ、払出口17の図１中右方には、演出音を発するスピーカ19が設けられている。
スロットマシン１の筐体２の内部には、前述したリールユニット３の他に、メダル投入口11から投入されたメダルを誘導しながらメダルの適正／不適正を判定するためのメダルセレクタ20と、メダルセレクタ20からのメダルを受けて貯留しておくとともに、貯留したメダルを入賞時に払出口17へ弾き出すホッパーユニット４と、ホッパーユニット４の図１中左方に配置されるとともに、スロットマシン１の各装置に電力を供給する電源装置５と、ホッパーユニット４の上方に配置されるとともに、前述の各装置の動作を制御する遊技制御装置６とが設けられている。
【００２１】
（メダルセレクタ20）
メダルセレクタ20は、メダルの直径に基づいてメダルの選別を行うものである。
すなわち、メダルセレクタ20は、図２の如く、当該メダルセレクタ20を構成する部品を支持するベースプレート20A に沿って、メダルを流通させるためのメダル通路21を設けたものとなっている。このメダル通路21及びメダル投入口11は、その断面の内法が適正なメダルＭの直径及び厚さ寸法よりも若干大きな寸法となっており、適正なメダルＭ及び適正なメダルＭよりも小さなメダルMSを流通させることが可能となっている。
一方、適正なメダルＭよりも大きなメダルMLは、メダル通路21及びメダル投入口11の内部を流通することが不可能となっている。
【００２２】
ここで、メダルセレクタ20には、図２及び図３に示すように、メダル投入口11に投入されたメダルのうち、直径が所定の範囲内にあるメダルＭは、適正なものとして受け入れる一方、直径が所定の寸法よりも小さいメダルMSは、不適正なものとして遊技者に返却する選別部22が設けられている。
また、メダルセレクタ20の選別部22よりも下流側には、選別部22を通過してホッパーユニット４へ向かうメダルの枚数を計数するために、フォトインタラプタ式の第１センサ23及び第２センサ24がメダルの流通方向に沿って配列されている。
これらのセンサ23, 24は、メダル投入口11から投入されたメダルがメダル通路21の上流から下流へ向かって流通したことを検出するためのメダルセンサとなっている。
【００２３】
選別部22について詳細に説明すると、選別部22は、図３に示すように、直立状態から所定角度まで傾けられた状態のメダルＭ，MSを流通させる傾斜したメダル通路21の途中に設けられている。そして、選別部22には、適正なメダルＭの周縁の上側と係合する上側係合鍔部22A と、メダルＭ，MSの周縁の下側と係合する下側係合鍔部22B と、上側係合鍔部22A 及び下側係合鍔部22B の間に形成されて不適正なメダルMSを脱落させる脱落用開口22C とが設けられている。
メダル投入口11に投入されたメダルのうち、直径が所定の範囲内にあるメダルＭは、その周縁が上側係合鍔部22A 及び下側係合鍔部22B の両方に支持され、選別部22、第１センサ23及び第２センサ24を順次通過し、ホッパーユニット４へ送られるようになっている。ここで、適正なメダルＭは、第１センサ23及び第２センサ24を通過する際に、スロットマシン１のクレジット数を増加させるようになっている。
【００２４】
一方、直径が所定の寸法よりも小さいメダルMSは、その周縁が上側係合鍔部22A に支持されず、脱落用開口22C を通って選別部22から脱落し、下方の払出口17へ送られるようになっている。これにより、不適正なメダルMSが第１センサ23及び第２センサ24に近づかないようにされ、ひいては、不適正なメダルMSの投入による、スロットマシン１のクレジット数の増加が防止されるようになっている。
（進路切換装置25）
以上のようなメダルセレクタ20には、ホッパーユニット４及び払出口17の一方から他方へ、適正なメダルＭの進路を切り換える進路切換装置25が設けられている。この進路切換装置25は、メダル通路21の選別部22が形成されている部分において、メダル通路21の天井部21A から離れる方向へメダル通路21の底板部21B を移動させることにより、図４の如く、適正なメダルＭが脱落用開口22C を通過できるようにし、適正なメダルＭをメダル通路21から脱落させ、払出口17に向かってメダルＭを進行させるものとなっている。
【００２５】
すなわち、メダル通路21の天井部21A と底板部21B との間には、図２及び図３の如く、メダル通路21の内側面を形成するための側壁部21C が設けられている。この側壁部21C には、メダル通路21とは反対の方向へ突出するブラケット21D が設けられている。
ブラケット21D の先端部には、二つの板状部26A, 26BがＬ字形状に交差するとともに、先端部分がメダル通路21の底板部21B となっている揺動アーム26が揺動自在に取り付けられている。
この揺動アーム26は、図２の如く、ブラケット21D に取り付けられている基端側に幅の狭い板状部26A が配置される一方、先端側に幅の広い板状部26B が配置されている。そして、この揺動アーム26を含んで進路切換装置25が構成されている。
【００２６】
進路切換装置25には、図２〜図４に示すように、前述の揺動アーム26の他に、揺動アーム26を付勢する付勢手段25A と、付勢手段25A の付勢力に抗して揺動アーム26を駆動するキャンセルコイル25B とが設けられている。
このうち、付勢手段25A は、揺動アーム26の板状部26A がメダル通路21から遠ざかる方向、換言すると、底板部21B が天井部21A から離れる方向へ、揺動アーム26を付勢する伸張式のコイルスプリングである。
この際、揺動アーム26は、揺動位置α及び揺動位置βの二位置間を板状部26A が揺動可能に設けられている。
【００２７】
ここで、板状部26A が揺動位置αに到達した状態では、図３の如く、板状部26A がキャンセルコイル25B の鉄心と接触し、天井部21A と底板部21B との間隔が、適正なメダルＭの直径にほぼ等しい寸法となり、メダルＭの周縁が上側係合鍔部22A 及び下側係合鍔部22B の両方で支持されるようになっている。
一方、板状部26A が揺動位置βに到達した状態では、図４の如く、板状部26A がキャンセルコイル25B の鉄心から離れ、天井部21A と底板部21B との間隔が、メダルＭの直径に比べて充分大きな寸法となり、メダルＭの上側周縁が上側係合鍔部22A には到達せず、メダルＭが脱落用開口22C を通過できるようになっている。
【００２８】
ここで、スロットマシン１には、スタートレバー14の操作からその遊技が終了するまでの期間が、メダルＭの投入ができないメダル投入不可能期間として設定されている一方で、一回の遊技が終了してから次回の遊技でスタートレバーが操作されるまでの期間が、メダルＭの投入が可能となったメダル投入可能期間として設定されている。
そして、前述のような進路切換装置25は、メダル投入可能期間において、キャンセルコイル25B に電流が導通され、図３の如く、揺動アーム26の板状部26A が揺動位置αに移動され、これにより、メダルＭをホッパーユニット４へ進行させるようになっている。
また、進路切換装置25は、メダル投入不可能期間において、キャンセルコイル25B に電流が流れていない状態にされ、これにより、図４の如く、揺動アーム26の板状部26A が揺動位置βに移動され、メダルＭを払出口17へ進行させるようになっている。
【００２９】
（通過物検知装置40）
図２に戻って、メダルセレクタ20には、更に、メダル通路21の選別部22よりも上流側において、メダル通路21の内部を通る物体と機械的に接触し、メダル通路21内の所定部分を通過する物体を検知する通過物検知装置40が設けられている。
この通過物検知装置40は、図５及び図６に示すように、メダル通路21の内部を通る物体に押されると移動するように設けられている通過物検知体41と、この通過物検知体41の移動を検出する移動検出センサ42とを備えたものとなっている。
移動検出センサ42は、フォトインタラプタ式のセンサである。すなわち、移動検出センサ42は、図６の如く、物体検出用の光を発する発光ダイオードが設けられた投光部42A と、投光部からの光を受けるフォトダイオードが設けられた受光部42B とが間隔をあけて設けられたものとなっている。そして、この移動検出センサ42は、投光部42A 及び受光部42B の間に物体が進入すると、当該物体が投光部42A からの光を遮断し、受光部42B が移動信号を出力するものとなっている。この移動信号の出力により、移動検出センサ42は、物体の進入を外部に報知できるようになっている。
【００３０】
ここで、メダル通路21は、図５に示すように、ベースプレート20A 及び側壁部21C を互いに間隔をおいて配置することにより、ベースプレート20A 及び側壁部21C の間に形成された空間となっている。
そして、通過物検知体41は、メダル通路21の一方の側壁を構成する側壁部21C に回動自在に支持されている回動軸部41A と、メダル通路21の内部を通る通過物に押させるための接触片41B と、移動検出センサ42の投光部42A が投光する光を遮断するための遮光板41C とを備えたものとなっている。
ここにおいて、接触片41B がメダル通路21の内部を通る物体に押されると、当該接触片41B が通過物検知体41の周方向に沿って移動し、全体が回動するものとなっており、通過物検知体41は、メダル投入口11とセンサ23, 24との間に配置されている。
【００３１】
接触片41B は、図５及び図６の如く、回動軸部41A の外周面41D から径方向に突出するとともに、回動軸部41A の軸方向に延びる板状の部位である。接触片41B の上下方向の寸法H1は、メダル通路21の上下方向の寸法H2よりも若干小さくなっている。
また、接触片41Bは、流通するメダルＭの厚さ方向に沿ってメダル通路21を横断する基本位置である回動位置γを起点として移動を開始するように設置され、且つ、メダル通路21から外れる回動位置δまで移動可能となっている。
遮光板41C は、接触片41B とは周方向の異なる位置において、回動軸部41A の外周面41D から径方向に突出するとともに、回動軸部41A の軸方向と直交する面を有する平板状の部位である。
【００３２】
また、遮光板41C は、接触片41Bが回動位置γ及び回動位置δの二位置間を移動するのにともない、回動位置ε及び回動位置ζの二位置間を移動するようになっている。
回動位置εは、遮光板41C が投光部42A 及び受光部42B の間の空間から完全に外れる回動位置である。
一方、回動位置ζは、遮光板41C が投光部42A 及び受光部42B の間に入り込み、投光部42A が受光部42B に向かって投光する光を、遮光板41C が遮断する回動位置である。この回動位置ζに遮光板41C が到達すると、投光部42A の光が受光部42B に到達しないようになっている。
【００３３】
ここで、遮光板41C の回動範囲は、すなわち、回動位置εから回動位置ζまでの回動範囲は、完全にメダル通路21から外れている。また、遮光板41C の回動範囲は、側壁部21C によって、移動検出センサ42とともにメダル通路21から隔離されている。
これにより、メダル通路21に挿入した細長い器具で移動検出センサ42を不正に操作することが不可能となっている。
ここで、通過物検知体41は、図６に示すように、当該通過物検知体41に設けられている接触片41B を回動位置γに向かって付勢する付勢手段43と係合している。この付勢手段43は、回動軸部41A とほぼ同軸に配置されるとともに、回動軸部41A を図５中反時計方向に回動させる方向に付勢するトーション式のコイルスプリングとなっている。
【００３４】
ここで、付勢手段43の付勢力は、メダル通路21を流通してきたメダルＭが通過物検知体41の接触片41B に当接すると、メダルＭの重量で接触片41B が回動する程度に弱く設定されている。これにより、メダル通路21を流通してきたメダルＭが、通過物検知体41に到達すると、付勢手段43の付勢力ではメダルＭの重量に抗しきれず、接触片41B が回動位置γから移動してメダルＭの通過を許容するようになっている。
そして、接触片41B が回動位置γから移動するのと同時に、遮光板41C が回動位置εから移動し、投光部42A 及び受光部42B の間の空間に入り込む。これにより、遮光板41C が投光部42A の光を遮断するようになっている。これにより、受光部42B から移動信号が出力され、この移動信号により、メダル通路21を流通してきたコインＭ、あるいは、前述した欺瞞器具の通過を検知できるようになっている。
【００３５】
（投入可能時異常検知手段31及び移行時異常検知手段32）
次に、メダル通路21内における異常の有無を判定する投入可能時異常検知手段31及び移行時異常検知手段32について、図７及び図８を参照しながら詳細に説明する。
投入可能時異常検知手段31及び移行時異常検知手段32は、図７に示すように、メダル通路21内に異常の有無を検出するものであり、異常を検出すると、遊技制御装置６へ異常警報信号を出力するようになっている。そして、この異常警報信号は、第２センサ24からの信号として遊技制御装置６に受信されるようになっている。
すなわち、遊技制御装置６は、スロットマシン１の各装置を適切に制御しながら、遊技を適正に進行させるためのプログラムがインストールされたマイクロコンピュータを含んで構成されたものとなっている
図７において、遊技制御装置６には、第１センサ23の出力信号、第２センサ24の出力信号、及び、異常報知装置30の二つの出力信号が入力されるようになっている。
【００３６】
また、遊技制御装置６からは、メダルセレクタ20のキャンセルコイル25B へ駆動指令信号が出力されるようになっている。
そして、異常報知装置30には、移動検出センサ42から出力される移動信号が入力されるとともに、キャンセルコイル25B を駆動するための駆動指令信号がキャンセルコイル25B を経由して入力されるようになっている。
この駆動指令信号は、キャンセルコイル25B を駆動すべきときには、ＨｉレベルからＬｏレベルへ切り替わり、キャンセルコイル25B の駆動を解除すべきときには、ＬｏレベルからＨｉレベルに切り替わるようになっている。
【００３７】
ここで、遊技制御装置６は、第１センサ23の出力信号を受信した直後に、第２センサ24の出力信号を受信した場合にのみ、適正なメダルＭの投入が行われたと見なし、クレジット数を一つ加算するようになっている。
一方、遊技制御装置６は、第２センサ24の出力信号を受信した直後に、第１センサ23の出力信号を受信した場合、あるいは、第１センサ23の出力信号を受信することなく、第２センサ24の出力信号を受信した場合に、不正行為が行われたと見なし、エラー信号を出力するようになっている。
これにより、遊技場等に設置された複数のスロットマシン１のうち、どの筐体２のスロットマシン１に異常が生じているかを判別でき、糸吊りメダル等による不正行為の防止が図れるようになっている。
【００３８】
遊技制御装置６に入力される信号のうち、第２センサ24の出力信号及び異常報知装置30の出力信号は、入力信号の論理和を出力する論理演算手段７を介して、遊技制御装置６に入力されるようになっている。これにより、遊技制御装置６は、異常報知装置30から出力される出力信号である異常警報信号を、第２センサ24からの信号として認識するようになっている。
ここで、本実施形態においては、メダル投入可能期間に異常があると判定すると異常報知信号を出力する投入可能時異常検知手段31と、メダル投入不可能期間からメダル投入可能期間への移行の際に異常があると判定すると異常報知信号を出力する移行時異常検知手段32とが備えられている。
【００３９】
投入可能時異常検知手段31は、メダル投入可能期間に移動検出センサ42から移動信号が所定時間υ以上継続して出力されると、異常報知信号を出力するものとなっている。
ここで、所定時間υは、手動操作でメダルＭを連続投入した際に、移動検出センサ42からの出力される移動信号の最大継続時間に比べて充分長く設定され、換言すると、手動操作でのメダルＭの連続投入では、移動信号の継続時間が到達し得ない時間長とされ、メダルＭの投入で投入可能時異常検知手段31が異常警報信号を発信しないように設定されている。
また、移行時異常検知手段32は、メダル投入不可能期間からメダル投入可能期間に移行した時点から所定の微小時間τが経過するまでに、移動検出センサ42から移動信号が出力されていると、異常報知信号を出力するものとなっている。
【００４０】
ここで、微小時間τは、周囲で発生するノイズの継続時間に比べて充分長い時間が設定され、換言すると、ノイズにはあり得ない時間長とされ、移行時異常検知手段32がノイズを拾って異常警報信号を発信しないように設定されている。
投入可能時異常検知手段31及び移行時異常検知手段32は、クレジット数を不正に増やすために、欺瞞器具がメダル投入口11に挿入されると、投入可能時異常検知手段31及び移行時異常検知手段32のいずれかが異常報知信号を出力するようになっている。
そして、遊技制御装置６は、前述の異常報知信号を、第２センサ24の出力信号として受信するとともに、前述の異常報知信号が第１センサ23の出力信号を伴わないので、不正行為が行われたと判定し、エラー信号を出力するようになっている。
【００４１】
ここで、本実施形態の要部である投入可能時異常検知手段31及び移行時異常検知手段32は、複数の素子を回路基板に組んで配線した電子回路で構成される。以下に、この電子回路の回路構成について説明する。
（本実施形態の要部の回路構成）
図８には、本実施形態の要部の回路構成が示されている。また、図８において、第１センサ23、第２センサ24及び移動検出センサ42の各出力信号、並びに、キャンセルコイル25B を駆動するための駆動指令信号は、それぞれ一端が接地された接点23F,24F,42F,25C として表現されている。
【００４２】
具体的に説明すると、第１センサ23の出力信号は、メダル等の通過を検知していることを示す「１」に相当する出力電圧がＬｏレベルとなり、通過を検知していないことを示す「０」に相当する出力電圧がＨｉレベルとなる。このため、第１センサ23の出力信号を受信する遊技制御装置６の入力端子23G に印加される電圧信号は、電圧がＨｉレベルのとき、接点23F のＯＦＦ（「０」）で表現でき、電圧がＬｏレベルのとき、接点23F のＯＮ（「１」）で表現でき、これにより、説明の便宜を図ることができる。
第２センサ24、移動検出センサ42及びキャンセルコイル25B の信号についても、第１センサ23と同様に、それらの信号を受ける入力端子24G,42G,25Dに印加される信号電圧は、電圧がＨｉレベルのとき、接点23F のＯＦＦ（「０」）で表現でき、電圧がＬｏレベルのとき、接点23F のＯＮ（「１」）で表現できる。
【００４３】
以上を前提としたうえで、以下に本実施形態の要部の回路構成を説明する。
図８おいて、基板33には、電子回路である投入可能時異常検知手段31及び移行時異常検知手段32が形成されている。これらの投入可能時異常検知手段31及び移行時異常検知手段32の出力信号は、第１センサ23の出力信号と同様に、「１」に相当する出力電圧がＬｏレベルとなり、「０」に相当する出力電圧がＨｉレベルとなっている。
また、基板33には、他に、入力信号の論理和を出力する論理演算手段７が形成されている。この論理演算手段７は、第２センサ24、投入可能時異常検知手段31及び移行時異常検知手段32の出力信号における「１」に相当する電圧がＬｏレベルとなり、「０」に相当する電圧がＨｉレベルとなっていることから、第２センサ24、投入可能時異常検知手段31及び移行時異常検知手段32の出力を相互に接続する接続点7Aが設けられただけの簡単な構成のものとなっている。
【００４４】
（投入可能時異常検知手段31）
投入可能時異常検知手段31は、移動検出センサ42の出力信号がＬｏレベル（「１」）を、所定時間υを超えて出力し続けると、二つの能動素子である電解効果トランジスタQ4, Q5が、出力すべきＬｏレベル（「１」）の電圧信号を生成するものとなっている。
すなわち、投入可能時異常検知手段31の入力部分には、互いに直列に接続された直流抵抗R2及びダイオードD2が設けられている。直流抵抗R2のダイオードD2が接続されていない方の端部には、電源電圧VDD が印加され、ダイオードD2の直流抵抗R2が接続されていない方の端部、換言すると、負極には、移動検出センサ42（図８中においては接点42F ）が直列に接続されている。
【００４５】
直流抵抗R2とダイオードD2との接続点8Aは、互いに直列に接続された直流抵抗R4及び直流抵抗R6を介して電解効果トランジスタQ4のゲートに接続されている。直流抵抗R4と直流抵抗R6との接続点8Bは、コンデンサC2を介して接地されている。また、接続点8Aには、ダイオードD3の正極が接続され、接続点8Bには、ダイオードD3の負極が接続されている。
このダイオードD3は、接続点8Aと接続点8Bとの間において直流抵抗R4と並列に接続され、これにより、コンデンサC2は、速やかに充電されるようになっている。
一方、移動検出センサ42（接点42F ）がＯＮになると、コンデンサC2は、直流抵抗R4及び移動検出センサ42を経由して接地され、その電荷が直流抵抗R4を介して放電されるので、コンデンサC2の両端電圧は、徐々に減少するようになっている。
【００４６】
ここで、電解効果トランジスタQ4のゲート電圧は、コンデンサC2の両端電圧で決まるので、移動検出センサ42（接点42F ）がＯＮになっても、すぐには低下しない。
換言すれば、電解効果トランジスタQ4は、移動検出センサ42がＯＮになっても、すぐにはＯＦＦ状態にはならず、コンデンサC2及び直流抵抗R4によって決定される時定数に応じた所定時間υが経過した後においても、移動検出センサ42がＯＮ状態を維持している場合にのみ、ＯＦＦ状態となるように回路設定されている。
電解効果トランジスタQ4のドレイン及び電解効果トランジスタQ5のゲートは、相互に接続され、これにより、接続点8Cが形成されている。この接続点8Cには、直流抵抗R8を介して電源電圧VDD が印加されている。また、電解効果トランジスタQ4及び電解効果トランジスタQ5のソースは、ともに接地されている。そして、電解効果トランジスタQ5のドレインは、投入可能時異常検知手段31の出力とされ、論理演算手段７に接続されている。
【００４７】
そして、電解効果トランジスタQ5は、電解効果トランジスタQ4がＯＦＦ状態ときに、ドレインの電圧、すなわち、その出力信号が「１」に相当するＬｏレベルとなり、電解効果トランジスタQ4がＯＮ状態のときに、出力信号が「０」に相当するＨｉレベルとなるように構成されている。
このような投入可能時異常検知手段31は、移動検出センサ42がＯＮになってから、移動検出センサ42のＯＮ状態が所定時間υ以上継続したときのみ、電解効果トランジスタQ5の出力信号が「１」に相当するＬｏレベルとなり、異常警報信号が発信されるようになっている。
【００４８】
（移行時異常検知手段32）
移行時異常検知手段32は、キャンセルコイル25B を駆動するための駆動指令信号がＬｏレベル（「１」）になると、電解効果トランジスタQ1が、微小時間τの長さを有するパルスを生成し、このパルスが二つの電解効果トランジスタQ2, Q3をＯＮ状態にし、電解効果トランジスタQ2, Q3がＯＮ状態になっている間だけ、移動検出センサ42の移動信号を論理演算手段７へ出力するものとなっている。
すなわち、移行時異常検知手段32の入力部分には、互いに直列に接続された直流抵抗R1及びダイオードD1が設けられている。直流抵抗R1のダイオードD1が接続されていない方の端部には、電源電圧VDD が印加され、ダイオードD1の直流抵抗R1が接続されていない方の端部、換言すると、負極には、キャンセルコイル25B の駆動指令信号を示す接点25C が直列に接続されている。
【００４９】
直流抵抗R1とダイオードD1との接続点9Aは、電解効果トランジスタQ1のゲートに接続されている。電解効果トランジスタQ1のドレインには、直流抵抗R3を介して電源電圧VDD が印加され、電解効果トランジスタQ1のソースは、接地されている。
また、電解効果トランジスタQ1のドレインは、コンデンサC1を介して電解効果トランジスタQ2, Q3のゲートに接続されている。
電解効果トランジスタQ2, Q3のゲートと、コンデンサC1との接続点9Bは、直流抵抗R5を介して接地されている。また、接続点9Aには、電源電圧VDD が負極に印加されたダイオードD4の正極と、正極が接地されたダイオードD5の負極とが接続されている。
【００５０】
なお、ダイオードD4, D5は、電解効果トランジスタQ1の遮断時に発生するサージ電圧を吸収するためのものである。
ここで、接点25C （キャンセルコイル25B の駆動指令信号）がＯＮになると、電解効果トランジスタQ1のゲート電圧が低下し、電解効果トランジスタQ1が遮断状態となる。
すると、コンデンサC1に所定の電荷が貯まるまでの間、直流抵抗R5に電流が流れ、直流抵抗R5の両端に電圧降下が発生する、換言すると、微小時間τの時間長を有する電圧パルスが直流抵抗R5の両端に発生するようになっている。この微小時間τは、コンデンサC1及び直流抵抗R5によって決定される時定数に応じたものとなっている。
【００５１】
この微小時間長さの電圧パルスがゲートに印加される電解効果トランジスタQ2は、直流抵抗R7を介して電源電圧VDD が、そのドレインに印加されるようになっている。また、電解効果トランジスタQ2のドレインは、移行時異常検知手段32の出力とされ、論理演算手段７に接続されている。この電解効果トランジスタQ2は、そのソースが電解効果トランジスタQ3のドレインに接続されている。
そして、電解効果トランジスタQ3は、逆流防止用のダイオードD6を介して、そのソースが投入可能時異常検知手段31の接続点8Aに接続されている。
このような移行時異常検知手段32は、接点25C （キャンセルコイル25B の駆動指令信号）がＯＮになることにより、電解効果トランジスタQ1が微小時間τの時間長を有する電圧パルスを発生させ、この電圧パルスが電解効果トランジスタQ2, Q3のゲートに加わり、微小時間τが経過するまでの間、電解効果トランジスタQ2, Q3がＯＮ状態になる。
【００５２】
すると、電解効果トランジスタQ2のドレイン、すなわち、移行時異常検知手段32の出力は、移動検出センサ42と導通状態となり、移動検出センサ42の移動信号が移行時異常検知手段32の出力信号、すなわち、異常警報信号として、そのまま出力されるようになっている。これにより、メダル投入不可能期間からメダル投入可能期間に移行した時点から微小時間τが経過するまでに、移動検出センサ42から移動信号が出力されると、移行時異常検知手段32から異常警報信号が速やかに発信されるようになっている。
（本実施形態の動作説明）
次に、適正なメダルＭを投入した場合、及び、欺瞞器具を使用した場合のそれぞれにおける本実施形態の動作について説明する。
【００５３】
まず、メダル投入可能期間において、スロットマシン１に適正なメダルＭを投入した場合の動作について説明する。
スロットマシン１は、メダル投入不可能期間とメダル投入可能期間とを交互に繰り返すようになっている。すなわち、メダルを最初に投入した後、回転リール3Aの回転が開始されると、メダルの投入が行えないメダル投入不可能期間へ移行し、その後、全部の回転リール3Aの回転が停止し、遊技についての入賞判定（勝ち負けの判定）が完了すると、メダルの投入が行えるメダル投入可能期間に戻る。
ここで、図９（Ａ）に示すように、時刻t1において、スロットマシン１がメダル投入不可能期間からメダル投入可能期間に移行し、キャンセルコイル25B を駆動するためのキャンセルコイル信号（駆動指令信号）が「１」に切り替わる。そして、時刻t1の後、回転リール3Aの回転が開始される時刻t2までの間、換言すると、メダル投入可能期間からメダル投入不可能期間に移行するまでの間に、数枚のメダルＭが投入されたとする。
【００５４】
すると、図９（Ａ）の如く、メダルＭの通過の際に、メダルＭが通過物検知体41の接触片41B を回動位置γから移動させるので、移動検出センサ42の移動信号が「１」に切り替わる。しかしながら、１枚のメダルＭが接触片41B を移動させている時間が所定時間υよりも短いので、メダルＭが何枚通過しても、異常警報信号及び筐体エラー出力は、両方とも「０」を維持し、「１」に切り替わることがない。
次いで、メダル投入可能期間となる前に、センサ23, 24を欺瞞するように光を点滅させる欺瞞器具が、メダル投入口11に挿入されている場合について説明する。
図９（Ｂ）に示すように、スロットマシン１がメダル投入不可能期間からメダル投入可能期間に移行するよりも前の時点である時刻t3において、欺瞞器具がメダル投入口11に挿入されたとする。
【００５５】
この状態で、メダル投入可能期間になると、メダル投入可能期間となった時刻t4から微小時間τが経過する前に、移動検出センサ42の移動信号が「１」に切り替わることとなる。なお、図９（Ｂ）において、メダル投入可能期間の開始時刻t4から微小時間τが経過するのは、時刻t5となっている。
ここで、メダル投入可能期間の開始から微小時間τが経過するまでの期間においては、前述したように移動検出センサ42の移動信号がそのまま異常警報信号となるので、移動検出センサ42の移動信号が「１」に切り替わった時点、すなわち、メダル投入可能期間に移行した時刻t4とほぼ同じ時点において、異常警報信号が「１」に切り替わる。そして、異常警報信号が「１」に切り替わってから微小時間遅れて、筐体エラー出力が「１」に切り替わるとともに、キャンセルコイル信号（駆動指令信号）が「０」に戻って、センサ23, 24の機能が停止する。このため、欺瞞器具で不正行為を行う時間を与えずに、異常警報信号が出力され、不正行為が未然に防止される。
【００５６】
続いて、メダル投入可能期間において、欺瞞器具で不正行為を行おうとした場合について説明する。
図９（Ｃ）に示すように、メダル投入可能期間が開始された時刻t6から微小時間τが経過した時刻t7よりも後の時刻t8において、欺瞞器具がメダル投入口11に挿入され、欺瞞器具の先端部分が通過物検知体41の接触片41B を回動位置γから移動させて、移動検出センサ42の移動信号を「１」に切り換えたものとする。なお、正確に言うと、時刻t8に、移動検出センサ42の移動信号が「１」に切り換わったものとする。
ここで、所定時間υは、手動操作によるメダルＭの連続投入では、移動信号の継続時間が到達し得ない時間長とされているので、手動操作でメダルＭを連続投入しても、投入可能時異常検知手段31は、異常警報信号を発信せず、これにより、メダルＭの投入と、欺瞞器具の挿入とが判別される。
【００５７】
例えば、時刻t9よりも後の時刻t10 まで、欺瞞器具のメダル投入口11への挿入が継続したとすると、欺瞞器具がメダル投入口11された時刻t8から所定時間υが経過した時刻t9において、異常警報信号が「１」に切り替わり、この異常警報信号が「１」に切り替わってから微小時間遅れて、筐体エラー出力が「１」に切り替わるとともに、キャンセルコイル信号（駆動指令信号）が「０」に戻るので、センサ23, 24の機能が停止する。このため、欺瞞器具でクレジット数を増やす間もなく、異常警報信号が出力され、不正行為が未然に防止される。
以上により、メダル投入可能期間において、欺瞞器具をメダル投入口11に挿入して、クレジット数を不正に増やそうとしても、異常警報信号及び筐体エラー出力が発信され、当該不正行為は、管理者等に報知されるうえ、センサ23, 24の機能が停止されるので、欺瞞器具による不正なクレジット数の増大も防止される。
【００５８】
また、移動検出センサ42が出力する移動信号の継続時間が長い場合にのみ、欺瞞器具がメダル投入口11に挿入されたと判定するので、メダル投入口11に投入されたメダルＭが通過物検知体41の接触片41B をアクセスしても、異常警報信号及び筐体エラー出力の発信やセンサ23, 24の機能停止もなく、不正行為がなければ通常通り遊技が進行される。
（実施形態の効果）
前述のような本実施形態によれば、次のような効果が得られる。
すなわち、メダル通路21のセンサ23, 24よりも上流側に通過物検知体41を設けたから、欺瞞器具がメダル投入口11に挿入されると、当該欺瞞器具の先端部分が、センサ23, 24に到達する前に通過物検知体41に接触し、通過物検知体41の接触片41B を押し退けて移動させる。この通過物検知体41の移動が移動検出センサ42によって検出されるので、移動検出センサ42から出力される移動信号を監視すれば、欺瞞器具による不正行為を確実に検出することができる。
【００５９】
また、メダルＭの厚さ方向に沿ってメダル通路21を横断する基本位置である回動位置γを起点として、通過物検知体41の接触片41B を回動可能に設けたので、欺瞞器具の厚さ寸法を如何に小さくしても、メダル通路21に挿通された欺瞞器具は、通過物検知体41の接触片41B を押し退けないと、センサ23, 24に到達することができないので、移動検出センサ42により、欺瞞器具による不正行為を必ず検出することができる。
また、移動検出センサ42から出力される移動信号に基づいて、メダル通路21内に異常があるか否かを判定するように構成したので、移動検出センサ42が出力する移動信号の継続時間が長い場合にのみ異常警報信号を出力する等、異常警報信号を出力すべき様々な条件を異常報知装置30に予め設定することができ、これにより、欺瞞器具の挿通により、メダル通路21内に異常が発生すると、確実に異常を検出して異常警報信号を出力するようになり、欺瞞器具による不正行為を確実に外部に報知することができる。
【００６０】
さらに、手動操作によるメダルＭの連続投入では、移動信号の継続時間が到達し得ない時間長に所定時間υを設定し、メダル投入可能期間において、手動操作でメダルＭを連続投入しても、異常警報信号を発信せず、一方、移動信号の継続時間が所定時間υを超えると、欺瞞器具がメダル投入口11に挿入されたと判定する投入可能時異常検知手段31を設けたので、欺瞞器具による不正行為を確実に検出することができるうえ、メダルＭがメダル投入口11に投入された際には、異常警報信号及び筐体エラー出力の発信やセンサ23, 24の機能停止が起こらないようになり、不正行為がなければ通常通り遊技を進行させることができる。
【００６１】
また、周囲で発生するノイズの継続時間に比べて微小時間τが充分長い時間となるように、換言すれば、微小時間τがノイズにはあり得ない時間長となるようにしたので、移行時異常検知手段32がノイズで誤動作することがなく、しかも、欺瞞器具がメダル投入口11に挿入された状態で、メダル投入不可能期間からメダル投入可能期間に移行した際に、移動検出センサ42から移動信号が出力されると、速やかに、移行時異常検知手段32が異常報知信号を出力するので、欺瞞器具による不正行為の発生を迅速に外部に報知できるようになる。
なお、本発明は、前記実施形態に限定されるものではなく、本発明の目的を達成できる範囲における変形及び改良などをも含むものである。
【００６２】
例えば、通過物検知体としては、メダル通路の内部を通る物体に押されると、押し退けられて回動する接触片を有するものに限らず、図１０に示すように、メダル通路21の内部を通るメダルＭ等の物体に押されると、そのまま後方へ退く、換言すると、直線的に移動する接触片45B を有する通過物検知体45でもよい。
また、通過物検知体の接触片としては、その上下方向の寸法が、メダル通路21の上下方向の寸法よりも若干小さいものに限らず、図１１に示すように、その上下方向の寸法H1が、メダル通路21の上下方向の寸法H2よりも若干大きく、基本位置において、メダル通路21を完全に塞ぐことができる接触片45B でもよい。
【００６３】
このような接触片45B を採用すれば、針金のように細長い欺瞞器具であっても、移動検出センサ42により、欺瞞器具による不正行為を必ず検出することができる。
また、メダルセンサ及び移動検出センサとしては、フォトインタラプタ式のセンサに限らず、磁気に反応する磁気コイル式のセンサでもよく、メダルセンサ及び移動検出センサの具体的な検出原理や機構は実施にあたり適宜設定することができる。
さらに、メダル通路の異常を検出する手段としては、トランジスタや直流抵抗等の素子を組み合わせた電子回路等のハードウェアのみで構成されものに限らず、所定の動作を実現するようにプログラムされたデジタルシーケンサ等のソフトウェアを含んで構成されるものでもよい。
【図面の簡単な説明】
【００６４】
【図１】本発明の一実施形態に係るメダル遊技機であるスロットマシンを示す正面図である。
【図２】前記実施形態に係るメダルセレクタを示す背面図である。
【図３】前記実施形態に係るメダルセレクタを示す側面図である。
【図４】前記実施形態に係るメダルセレクタの異なる状態を示す側面図である。
【図５】前記実施形態の要部を示す拡大平面図である。
【図６】前記実施形態の要部を示す拡大断面図である。
【図７】前記実施形態の要部周辺の電気的接続を示すブロック図である。
【図８】前記実施形態の要部を示す回路図である。
【図９】前記実施形態の動作を説明するためのタイミングチャートである。
【図１０】本発明の変形例を示す断面図である。
【図１１】前記変形例を示す図１０のXI−XI線における断面図である。
【符号の説明】
【００６５】
１  メダル遊技機としてのスロットマシン
11  メダル投入口
14  スタートレバー
21  メダル通路
23, 24  メダルセンサとしてのセンサ
31  投入可能時異常検知手段
32  移行時異常検知手段
41  通過物検知体
42  移動検出センサ
43  付勢手段
Ｍ  メダル
γ  基本位置としての回動位置
τ  微小時間
υ  所定時間
【図１】
0004824076.tif 000002
【図２】
0004824076.tif 000003
【図３】
0004824076.tif 000004
【図４】
0004824076.tif 000005
【図５】
0004824076.tif 000006
【図６】
0004824076.tif 000007
【図７】
0004824076.tif 000008
【図８】
0004824076.tif 000009
【図９】
0004824076.tif 000010
【図１０】
0004824076.tif 000011
【図１１】
0004824076.tif 000012